(57)【要約】【課題】給電装置及び被給電装置の位置合わせが正確であり、かつ被給電装置の給電装置に対する着脱性が良好である電子機器を提供する。【解決手段】給電装置２と、給電装置２と接合された状態で給電装置２から給電される携帯電話機３と、を備えている。給電装置２と携帯電話機３が接合される面には、接合部材２２１，２２２，２２３，３２１，３２２，３２３が設けられている。接合部材は、接合の相手方である接合部材と対向する面が球面である永久磁石又は磁性体で構成されている。相互に対向する接合部材のうちの少なくとも一方が永久磁石である。永久磁石は、磁極の一方が対向する相手方の接合部材に最も近い位置である。磁性体は、対向相手の接合部材の側に突出しており、突出している部分が球面である。【選択図】図３
2011097770.tif 000002
【特許請求の範囲】
【請求項１】
給電装置と、
上記給電装置から電力を供給される被給電装置と、を備えた電子機器であって、
上記給電装置は、
上記被給電装置と対向する第１対向面の少なくとも３箇所以上に設けられており、上記被給電装置と接合可能な第１接合部と、
上記第１対向面に設けられており、上記第１接合部と接合されている上記被給電装置に無接点電力伝送によって電力を供給する第１充電部と、を備え、
上記被給電装置は、
上記給電装置と対向する第２対向面における上記第１接合部の各々と対向する位置に設けられており、対向する上記第１接合部と接合可能な第２接合部と、
上記第２対向面における上記第１充電部と対向する位置に設けられており、上記第２接合部が上記第１接合部と接合されている状態において、無接点電力伝送によって上記第１充電部から電力を供給される第２充電部と、を備え、
相互に対向する上記第１接合部及び上記第２接合部のうちの少なくとも一方に、対向相手の上記第１接合部又は上記第２接合部側が球面であり、磁極の一方が対向相手の上記第１接合部又は上記第２接合部に最も近い位置である永久磁石が設けられており、
上記永久磁石が設けられていない上記第１接合部及び上記第２接合部は、磁性体で構成されており、当該磁性体は、上記第１対向面及び上記第２対向面から、対向相手の上記第１接合部又は上記第２接合部側に突出しており、突出している部分が球面である電子機器。
【請求項２】
上記第１接合部及び上記第２接合部に設けられた上記永久磁石は、上記第１対向面及び上記第２対向面から、対向相手の上記第１接合部又は上記第２接合部側に突出している請求項１に記載の電子機器。
【請求項３】
上記第１接合部は、上記給電装置及び上記被給電装置の接合態様が一義的に定まる位置に設けられる請求項１または２に記載の電子機器。
【請求項４】
上記第１充電部は、上記第１対向面において上記第１接合部と異なる位置に設けられる請求項１から３のいずれかに記載の電子機器。
【請求項５】
上記第１接合部は、上記第１対向面の外周に近い領域に分散配置されており、上記第１充電部は、上記第１接合部よりも上記第１対向面の中央に近い領域に配置されている請求項４に記載の電子機器。
【請求項６】
上記給電装置は、上記第１対向面と反対側の面に、壁面に固定されて当該装置を係合保持する保持部材、を更に備えている請求項１から５のいずれかに記載の電子機器。
【請求項７】
上記給電装置は、上記第１対向面がユーザ側に露出するように、壁面に埋め込まれている請求項１から５のいずれかに記載の電子機器。
【請求項８】
上記被給電装置は、上記第２対向面の上下方向の長さが左右方向の長さよりも長く、上下方向及び左右方向の双方と垂直な方向の長さが上下方向及び左右方向の長さより短い縦長形状である請求項１から７のいずれかに記載の電子機器。
【請求項９】
上記永久磁石は希土類磁石である請求項１から８のいずれかに記載の電子機器。
【発明の詳細な説明】
【技術分野】
【０００１】
本発明は、被給電装置が給電装置に嵌め込まれ、無接点電力伝送によって給電装置から被給電装置に電力供給が行われる電子機器に関する。
【背景技術】
【０００２】
被給電装置が給電装置に嵌め込まれ、無接点電力伝送によって給電装置から被給電装置に電力供給されることによって、被給電装置の充電が行われることは、多くの被給電装置において行われている。このような被給電装置としては、例えば、携帯電話、ＰＨＳ、リモートコントローラー、電動歯ブラシ、及び電気シェーバーなどが挙げられる。
【０００３】
通常、上述のように充電される被給電装置は、充電時に給電装置に固定されていないことが多い。例えば、被給電装置は、充電時に、給電装置に設けられたガイドに沿って給電装置に置かれるだけである。また、給電装置も固定されて使用されることはほとんどなく、机上などに置かれた状態で使用されることが多い。
【０００４】
このような充電方法においては、給電装置の充電が簡単かつ手軽に実行できる。しかし、充電時に外部から力がかかれば、被給電装置が給電装置から簡単に外れてしまうため、充電ができなくなるおそれがあった。
【０００５】
被給電装置が給電装置からはずれることが防止されるためには、被給電装置が給電装置に固定されていればよい。例えば、特許文献１には、支持された球体磁石が強磁性体の対象物に設けた嵌合穴に挿入される磁石連結装置が開示されている。球体磁石が被給電装置及び給電装置の一方に支持され、嵌合穴が被給電装置及び給電装置の他方に設けられることによって、被給電装置が給電装置に固定され、被給電装置が給電装置から外れることが低減可能である。
【先行技術文献】
【特許文献】
【０００６】
【特許文献１】特開２００６−１２１０７０号公報
【発明の概要】
【発明が解決しようとする課題】
【０００７】
無接点電力伝送による充電においては、充電効率の観点から、被給電装置が給電装置に固定される際に、給電装置及び被給電装置の正確な位置合わせが要求される。つまり、給電装置及び被給電装置の位置合わせが正確に行われているときに最も充電効率がよく、給電装置及び被給電装置の位置のずれが大きくなる程、充電効率が悪くなり、位置のずれの大きさによっては充電そのものが行われない可能性もある。
【０００８】
上述したように、給電装置及び被給電装置の嵌合部分に特許文献１に記載の磁石連結装置が使用されると、外部からの力によって被給電装置が給電装置から外れることが低減される。しかし、給電装置及び被給電装置の嵌合部分に特許文献１に記載の磁石連結装置が使用されても、給電装置及び被給電装置の位置合わせが正確に行われないおそれがある。
【０００９】
特許文献１に記載の磁石連結装置においては、球体磁石（凸部）及び嵌合穴（凹部）の嵌合によって給電装置と被給電装置が嵌合されるため、凸部と凹部の接触部分は線領域又は面領域となる。そのため、凸部と凹部は、線方向又は面方向にずれて嵌合されるおそれがあり、正確な位置づけができないおそれがあるのである。
【００１０】
また、凸部と凹部による嵌合では、被給電装置が給電装置に固定される際、または、被給電装置が給電装置から外される際に、凸部と凹部が引っかかるおそれがあり、被給電装置の着脱性は必ずしも良いとはいえない。
【００１１】
本発明は、上記問題に鑑みてなされたものであり、その目的は、給電装置及び被給電装置の位置合わせが正確であり、かつ被給電装置の給電装置に対する着脱性が良好である電子機器を提供することにある。
【課題を解決するための手段】
【００１２】
(1)  本発明の電子機器は、給電装置と、上記給電装置から電力を供給される被給電装置と、を備えた電子機器である。上記給電装置は、上記被給電装置と対向する第１対向面の少なくとも３箇所以上に設けられており、上記被給電装置と接合可能な第１接合部と、上記第１対向面に設けられており、上記第１接合部と接合されている上記被給電装置に無接点電力伝送によって電力を供給する第１充電部と、を備えている。上記被給電装置は、上記給電装置と対向する第２対向面における上記第１接合部の各々と対向する位置に設けられており、対向する上記第１接合部と接合可能な第２接合部と、上記第２対向面における上記第１充電部と対向する位置に設けられており、上記第２接合部が上記第１接合部と接合されている状態において、無接点電力伝送によって上記第１充電部から電力を供給される第２充電部と、を備えている。相互に対向する上記第１接合部及び上記第２接合部のうちの少なくとも一方に、対向相手の上記第１接合部又は上記第２接合部側が球面であり、磁極の一方が対向相手の上記第１接合部又は上記第２接合部に最も近い位置である永久磁石が設けられている。上記永久磁石が設けられていない上記第１接合部及び上記第２接合部は、磁性体で構成されており、当該磁性体は、上記第１対向面及び上記第２対向面から、対向相手の上記第１接合部又は上記第２接合部側に突出しており、突出している部分が球面である。
【００１３】
第１接合部及び第２接合部に設けられた対向相手の第１接合部又は第２接合部側が球面であり、磁極の一方が対向相手の上記第１接合部又は上記第２接合部に最も近い位置である永久磁石は、当該対向相手と接合される際に、当該対向相手に最も近い天頂位置で最も磁力が強い。したがって、第１接合部の永久磁石と第２接合部の永久磁石は、お互いの天頂位置において接合される。
【００１４】
第１接合部及び第２接合部に設けられた磁性体は、対向相手である第１接合部又は第２接合部と接合される際に、当該対向相手に最も近い天頂位置において、当該対向相手の永久磁石の天頂位置と接合される。
【００１５】
以上より、第１接合部と第２接合部の一方の永久磁石と、第１接合部と第２接合部の他方の永久磁石又は磁性体とは、点において接合される。
【００１６】
(2)  上記第１接合部及び上記第２接合部に設けられた上記永久磁石は、上記第１対向面及び上記第２対向面から、対向相手の上記第１接合部又は上記第２接合部側に突出している。
【００１７】
上述の構成においては、給電装置及び被給電装置が接合された際に、給電装置及び被給電装置の間には、第１接合部及び第２接合部の突出によって、間隙が生じる。ユーザは、当該間隙に指を挟むことにより、被給電装置を容易に着脱可能である。
【００１８】
(3)  上記第１接合部は、上記給電装置及び上記被給電装置の接合態様が一義的に定まる位置に設けられる。
【００１９】
上述の構成においては、被給電装置が給電装置に誤った方向や位置で固定されることが防止可能である。
【００２０】
(4)  上記第１充電部は、上記第１対向面において上記第１接合部と異なる位置に設けられる。
【００２１】
第２充電部は第１充電部と対向する位置に設けられており、第２接合部は第１接合部と対向する位置に設けられているため、上述の構成とすることにより、第２充電部は、第２接合部と異なる位置に設けられることになる。また、給電装置と被給電装置が接合された状態において、第１充電部は第２接合部と異なる位置であり、第２充電部は第１接合部と異なる位置である。以上より、第１充電部及び第２充電部が第１接合部及び第２接合部に設けられた永久磁石の磁力の影響を受けることが、低減可能である。
【００２２】
(5)  上記第１接合部は、上記第１対向面の外周に近い領域に分散配置されており、上記第１充電部は、上記第１接合部よりも上記第１対向面の中央に近い領域に配置されている。
【００２３】
第１接合部が第１対向面の一部の領域付近に集中して配置されると、第２接合部も第２対向面の一部の領域付近に集中する。この状態において、給電装置と被給電装置が接合されると、第１対向面及び第２対向面における第１接合部及び第２接合部が存在しない領域では、給電装置と被給電装置の位置ずれが大きくなってしまうおそれがある。しかし、上述の構成では、第１接合部が、第１対向面の外周に近い領域に分散配置されているため、上記の問題の発生を防止できる。
【００２４】
また、第１充電部が第１接合部よりも第１対向面の中央に近い領域、つまり第１接合部と異なる位置に配置されているため、上述と同様に、第１充電部及び第２充電部が第１接合部及び第２接合部に設けられた永久磁石の磁力の影響を受けることが、低減可能である。
【００２５】
(6)  上記給電装置は、上記第１対向面と反対側の面に、壁面に固定されて当該装置を係合保持する保持部材、を更に備えている。
【００２６】
(7)  上記給電装置は、上記第１対向面がユーザ側に露出するように、壁面に埋め込まれている。
【００２７】
これらの構成のように、給電装置が壁掛け型又は壁埋め込み型であることによって、給電装置及び被給電装置は場所を大きくとることなく設置可能である。また、給電装置及び被給電装置が机上などに置かれていると、ユーザの手などが、給電装置の本体や給電装置と電源を接続しているコードなどに引っかかるおそれがあるが、給電装置が壁掛け型又は壁埋め込み型であることによって、上記問題が解消される。
【００２８】
(8)  上記被給電装置は、上記第２対向面の上下方向の長さが左右方向の長さよりも長く、上下方向及び左右方向の双方と垂直な方向の長さが上下方向及び左右方向の長さより短い縦長形状である。
【００２９】
例えば、第２対向面の上下方向の長さと左右方向の長さが略同一であれば、ユーザが被給電装置を誤った向きで給電装置に固定するおそれがあるが、被給電措置が縦長形状であることにより、このような誤りが低減される。
【００３０】
(9)  上記永久磁石は希土類磁石である。
【００３１】
希土類磁石は磁力が強いため、小型の永久磁石でも十分な磁力を得ることができ、第１接合部及び第２接合部に使用する永久磁石の小型化が可能である。また、希土類磁石は磁力が強いため、被給電装置と給電装置がより確実に接合可能である。
【発明の効果】
【００３２】
第１接合部及び第２接合部に設けられた対向相手の第１接合部又は第２接合部側が球面である永久磁石は、当該対向相手と接合される際に、当該対向相手に最も近い天頂位置で最も磁力が強い。したがって、第１接合部の永久磁石と第２接合部の永久磁石は、お互いの天頂位置において接合される。また、第１接合部及び第２接合部に設けられた磁性体は、対向相手である第１接合部又は第２接合部と接合される際に、当該対向相手に最も近い天頂位置において、当該対向相手の永久磁石の天頂位置と接合される。以上のように、第１接合部と第２接合部の一方の永久磁石と、第１接合部と第２接合部の他方の永久磁石又は磁性体とは、点において接合されるため、正確な位置合わせが可能である。
【００３３】
また、本発明では、永久磁石の磁力によって被給電装置と給電装置が接合されるため、凸部と凹部の嵌合が不要である。したがって、被給電装置の給電装置に対する着脱の際に凸部と凹部が引っかかるなどということはなく、被給電装置の給電装置に対する着脱性が良好となる。
【図面の簡単な説明】
【００３４】
【図１】図１は、室内に給電装置２が設置された状態を示す斜視図であり、（Ａ）には給電装置２が壁面に固定された状態が示されており、（Ｂ）には給電装置２が壁面に埋め込まれた状態が示されている。
【図２】図２は、充電機器１の外観斜視図であり、（Ａ）には携帯電話機３を斜め前方から見た状態が示されており、（Ｂ）には携帯電話機３を斜め後方から見た状態が示されており、（Ｃ）には給電装置２を斜め前方から見た状態が示されている。
【図３】図３は、充電機器１を模式的に示す右側面図であり、（Ａ）には給電装置２と携帯電話機３が接合されていない状態がしめされており、（Ｂ）には給電装置２と携帯電話機３が接合されている状態が示されており、（Ｃ）には給電装置２及び携帯電話機３の接合部材が突出している状態が示されており、（Ｄ）には給電装置２の接合部材が埋め込まれ携帯電話機３の接合部材が突出している状態が示されており、（Ｅ）には給電装置２及び携帯電話機３の各々において突出された接合部材と埋め込まれた接合部材が混在している状態が示されている。
【図４】図４は、給電装置２を模式的に示す右側面図であり、（Ａ）には給電装置２が保持部材２５によって壁面４に固定されている状態が示されており、（Ｂ）には給電装置２が壁面４に埋め込まれている状態が示されており、（Ｃ）には給電装置２がビス７によって壁面４に固定されている状態が示されている。
【図５】図５は、接合部材を模式的に示す右側面図であり、（Ａ）には接合部材が半球形状であって給電装置２の接合部材のＮ極と携帯電話機３の接合部材のＳ極が対向している状態が示されており、（Ｂ）には接合部材が球形状であって給電装置２の接合部材のＮ極と携帯電話機３の接合部材のＳ極が対向している状態が示されており、（Ｃ）には接合部材が半球形状であって給電装置２の接合部材のＳ極と携帯電話機３の接合部材のＮ極が対向している状態が示されており、（Ｄ）には接合部材が球形状であって給電装置２の接合部材のＳ極と携帯電話機３の接合部材のＮ極が対向している状態が示されている。
【発明を実施するための形態】
【００３５】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。
【００３６】
図１から図３に示されるように、本発明の電子機器の一例である携帯電話の充電機器１は、給電装置２（本発明の給電装置の一例）と、給電装置２から電力を供給される携帯電話機３（本発明の被給電装置の一例）とで構成されている。
【００３７】
以下の説明においては、図２に示されるように、充電機器１が使用可能に設置された状態（図１の状態）を基準として上下方向を定義する。給電装置２の接合部材２２１，２２２，２２３及び第１充電部２３が設けられている側（図２（Ｃ）参照）、及び、携帯電話機３の操作パネル３４（図２（Ａ）参照）が設けられている側を手前側（正面）として前後方向を定義する。給電装置２及び携帯電話機３を手前側（正面）から見て左右方向を定義する。
【００３８】
［給電装置２の構成］
図１（Ａ）に示されるように、給電装置２は、建物の室内の壁面４に設けられている。建物は、例えば住宅やオフィスビルなどである。壁面４は、室内において、床５及び天井（不図示）の間に床及び天井と垂直に設けられており、窓６などが設けられる壁の表面のことである。壁の表面は、室内にいる充電機器１のユーザの側の面である。なお、壁面４は床５の上面や天井の下面であってもよい。
【００３９】
本実施形態においては、壁面４に設けられた給電装置２が床５に落下することを防止するため、給電装置２は、図４（Ａ）に示されるように、後面２４に保持部材２５（本発明の保持部材の一例）を備えている。ここで、後面２４は、給電装置２において壁面４に接する側の面である。保持部材２５は、例えば、後面２４から後方に突出し、その先端部が下向きに折れ曲がった一又は複数の凸部で構成されている。また、壁面４には、保持部材２５が挿入可能な大きさの孔４１が設けられている。保持部材２５は、図４（Ａ）に示される態様で孔４１に挿入される。これにより、下向きに折れ曲がった先端部が孔４１に引っ掛かり、給電装置２が壁面４から床５に落下することが防止される。なお、保持部材２５は、給電装置２が壁面４に保持可能であれば、上述したような形状に限らない。
【００４０】
図２（Ｃ）に示されるように、給電装置２は、３個の接合部材２２１，２２２，２２３（本発明の第１接合部の一例）及び給電回路２３（本発明の第１充電部の一例）を備えている。接合部材２２１，２２２，２２３及び給電回路２３は、後面２４と前後方向の反対側の面である第１対向面２１（本発明の第１対向面に相当）に設けられている。ここで、第１対向面は、携帯電話機３と対向する面であって、携帯電話機３が接合される面である。
【００４１】
［接合部材２２１，２２２，２２３の構成］
接合部材２２１，２２２，２２３は、少なくとも前側が球面の形状である。例えば、接合部材２２１，２２２，２２３は、図５（Ａ）又は図５（Ｃ）に実線で示されるような前側が球面であって後側が平面である半球形状、或いは、図５（Ｂ）又は図５（Ｄ）に実線で示されるような球形状である。
【００４２】
接合部材２２１，２２２，２２３は、永久磁石又は磁性体で構成されている。永久磁石は、希土類磁石であることが好ましい。希土類磁石は、希土類元素を用いた磁石であり、例えば、サマリウムコバルト磁石やネオジム磁石などである。磁性体は磁石に引き寄せられる物質であり、例えば、鉄、コバルト、ニッケルなどである。接合部材２２１，２２２，２２３が永久磁石で構成されている場合、接合部材２２１，２２２，２２３は、永久磁石又は磁性体で構成された後述する携帯電話機３の接合部材３２１，３２２，３２３（本発明の第２接合部の一例）と磁力によって接合される。接合部材２２１，２２２，２２３が永久磁石で構成されていない場合、接合部材２２１，２２２，２２３は磁性体で構成されており、永久磁石で構成された携帯電話機３の接合部材３２１，３２２，３２３と磁力によって接合される。つまり、図３（Ａ）に示されるように対向している状態の給電装置２及び携帯電話機３は、図３（Ｂ）に示されるように接合される。
【００４３】
また、接合部材２２１，２２２，２２３が永久磁石である場合、当該永久磁石は、給電装置２及び携帯電話機３が接合された状態において、磁極の一方（Ｎ極又はＳ極）が対向相手の接合部材３２１，３２２，３２３に最も近い位置となるように配置される。当該位置がＮ極となるように接合部材２２１，２２２，２２３が配置された場合、図５（Ａ）及び図５（Ｂ）に一点鎖線で示されるように、磁力線はＮ極から対向相手である携帯電話機３の接合部材３２１，３２２，３２３（図５（Ａ）及び図５（Ｂ）に破線で示される。）の向きとなる。一方、当該位置がＳ極となるように接合部材２２１，２２２，２２３が配置された場合、図５（Ｃ）及び図５（Ｄ）に一点鎖線で示されるように、磁力線は対向相手である携帯電話機３の各接合部材３２１，３２２，３２３から当該Ｓ極への向きとなる。
【００４４】
なお、給電装置２の接合部材２２１，２２２，２２３及び携帯電話機３の接合部材３２１，３２２，３２３の接合については後段において詳述する。
【００４５】
接合部材２２１，２２２，２２３の上下方向及び左右方向の位置は、以下の通りである。図２（Ｃ）に示されるように、本実施形態において、接合部材２２１は、第１対向面２１の上端付近であって左右方向の中央付近に設けられている。接合部材２２２は、第１対向面２１の下端付近であって左端付近に設けられている。接合部材２２３は、第１対向面２１の上端付近であって右端付近に設けられている。なお、上記では、給電装置２には、３個の接合部材２２１，２２２，２２３が設けられている場合について説明したが、接合部材は、第１対向面２１の少なくとも３箇所に設けられていればよく、例えば、給電装置２には、４個や５個の接合部材が設けられていてもよい。
【００４６】
接合部材２２１，２２２，２２３は、給電装置２及び携帯電話機３の接合態様が一義的に定まる位置に設けられている。このような接合部材２２１，２２２，２２３の位置としては、例えば、図２（Ｃ）に示されるような配置がある。この場合、給電装置２に携帯電話機３が接合されると、携帯電話機３が縦向き、つまり接合部材２２１が上側となり、接合部材２２２が左下側となり、接合部材２２３が右下側となる１通りの接合態様のみが考えられ、一義的に定まる。
【００４７】
接合部材２２１，２２２，２２３が永久磁石で構成されている場合における接合部材２２１，２２２，２２３の前後方向の位置は、図３（Ｃ）に示されるように、接合部材２２１，２２２，２２３の球面の部分が第１対向面２１から対向相手である携帯電話機３の接合部材３２１，３２２，３２３の側に突出する位置である。或いは、図３（Ｄ）に示されるように、接合部材２２１，２２２，２２３が第１対向面２１の後方の近傍に埋め込まれる位置である。なお、図３（Ｅ）に示されるように、接合部材２２１，２２２，２２３の球面の部分が突出した接合部材（図３（Ｅ）では接合部材２２１）と、第１対向面２１の後方の近傍に埋め込まれた接合部材（図３（Ｅ）では接合部材２２３）とが混在していてもよい。
【００４８】
また、接合部材２２１，２２２，２２３が磁性体で構成されている場合における接合部材２２１，２２２，２２３の前後方向の位置は、図３（Ｃ）に示されるように、接合部材２２１，２２２，２２３の球面の部分が第１対向面２１から対向相手である携帯電話機３の接合部材３２１，３２２，３２３の側に突出する位置である。つまり、磁性体は、その形状に関わらず、第１対向面２１から、対向相手である携帯電話機３の接合部材３２１，３２２，３２３の側に突出しており、突出している部分が球面で構成されている。
【００４９】
接合部材２２１，２２２，２２３の給電装置２への固定には、公知の手段が用いられる。例えば、接合部材２２１，２２２，２２３が図５（Ａ）及び図５（Ｃ）に示されるような半球形状である場合、接合部材２２１，２２２，２２３の後方の部分が第１対向面２１に貼り合わされる。また、接合部材２２１，２２２，２２３が図５（Ｂ）及び図５（Ｄ）に示されるような球形状である場合、接合部材２２１，２２２，２２３の後方の部分が第１対向面２１に埋め込まれる。
【００５０】
［給電回路２３の構成］
図２（Ｃ）に示されるように、給電回路２３は、第１対向面２１に設けられている。給電回路２３は、給電装置２及び携帯電話機３が接合された状態において、携帯電話機３に備えられている受電回路３３（本発明の第２充電部の一例）に無接点電力伝送によって電力を供給する。
【００５１】
無接点電力伝送は、相互誘導を利用して、非接触で電力を伝送する公知の方式が用いられる。例えば、高周波発振回路（不図示）において、商用電源から入力された電流から高周波電流が発生される。送電コイル（不図示）に高周波電流が流されることによって高周波電磁界が発生される。送電コイルと所定の間隔（例えば数ミリ）で対向する受電コイル（不図示）において、送電コイルで発生された電磁界が電磁誘導で受電される。受電コイルでの受電によって受電コイルに流される高周波電流が、整流回路（不図示）において直流に変換される。
【００５２】
無接点電力伝送が以上のように実行される場合、給電回路２３は、上述の高周波発振回路及び送電コイルを備え、受電回路３３は、上述の受電コイル及び整流回路を備えている。また、図２（Ｃ）及び図３に示されるように、本実施形態においては、給電装置２の第１対向面２１に凸部２６が設けられており、凸部２６には給電回路２３が設けられている。凸部２６が設けられた理由は、給電装置２と携帯電話機３が接合された状態で、送電コイルと受電コイルが所定の間隔で対向するように、送電コイルを受電コイル側に近づけ、送電コイルから受電コイルへの電力供給を可能とするためである。したがって、給電装置２と携帯電話機３を接合させたときに、送電コイルと受電コイルが所定の間隔で対向するのであれば、凸部２６が給電装置２ではなく携帯電話機３に設けられていてもよいし、凸部２６が給電装置２及び携帯電話機３の双方に設けられていてもよいし、凸部２６が給電装置２及び携帯電話機３のいずれにも設けられていなくてもよい。図３（Ｂ）から図３（Ｅ）では、給電装置２及び携帯電話機３が接合された状態において、凸部２６が携帯電話機３の第２対向面３１（本発明の第２対向面に相当）と接しているが、送電コイル及び受電コイルが所定の間隔で対向するのであれば、接している必要はない。
【００５３】
なお、本発明においては、給電装置２から携帯電話機３へ無接点電力伝送で電力が電送されるのであれば、給電回路２３及び受電回路３３の具体的な構成は上述したものに限らず任意の構成である。したがって、本明細書においては、給電回路２３の内部構成についてのこれ以上の詳細な説明が省略される。
【００５４】
給電回路２３は、第１対向面２１において各接合部材２２１，２２２，２２３と異なる位置に設けられている。本実施形態においては、図２（Ｃ）に示されるように、給電回路２３は、第１対向面２１の上下方向の中央から少し下側であって左右方向の中央付近に設けられており、接合部材２２１，２２２，２２３の位置とは異なる位置である。接合部材２２１，２２２，２２３を構成する永久磁石から給電回路２３への磁力の影響を少なくするため、給電回路２３と接合部材２２１，２２２，２２３との距離は大きい方が好ましい。
【００５５】
また、本実施形態においては、図２（Ｃ）に示されるように、接合部材２２１，２２２，２２３は、第１対向面２１の上端、下端、右端又は左端に近い領域、つまり外周に近い領域に分散して配置されている。また、給電回路２３は、接合部材２２１，２２２，２２３を頂点とする三角形の内側、つまり接合部材２２１，２２２，２２３よりも第１対向面２１の中央に近い領域に配置されている。
【００５６】
［携帯電話機３の構成］
図２（Ａ）及び図２（Ｂ）に示されるように、携帯電話機３は、第２対向面３１の上下方向の長さが左右方向の長さよりも長く、上下方向及び左右方向の双方と垂直な方向である前後方向の長さが上下方向及び左右方向の長さより短い縦長形状である。
【００５７】
携帯電話機３は、前面に操作パネル３４が設けられ（図２（Ａ）参照）、後面に３個の接合部材３２１，３２２，３２３及び受電回路３３が設けられている（図２（Ｂ）参照）。ここで、後面は、給電装置２と接合される側の面、つまり第２対向面３１である。
【００５８】
操作パネル３４は、各種操作ボタンや液晶表示部から構成されている。携帯電話機３は、操作ボタンからの指示入力によって動作する。第２対向面３１に設けられた接合部材３２１，３２２，３２３は、給電装置２の接合部材２２１，２２２，２２３と磁力によって接合される。これにより、携帯電話機３と給電装置２が接合される。携帯電話機３と給電装置２が接合されることによって、第２対向面３１に設けられた受電回路３３は、給電装置２の給電回路２３と対向する。そして、受電回路３３は給電回路２３から電磁誘導によって電力供給される。つまり、携帯電話機３は給電装置２から無接点電力伝送によって電力供給を受け、充電される。
【００５９】
［接合部材３２１，３２２，３２３の構成］
接合部材３２１，３２２，３２３は、少なくとも後側が球面の形状である。例えば、接合部材３２１，３２２，３２３は、図５（Ａ）又は図５（Ｃ）に破線で示されるような後側が球面であって前側が平面である半球形状、或いは、図５（Ｂ）又は図５（Ｄ）に破線で示されるような球形状である。
【００６０】
その他に関しては、接合部材３２１，３２２，３２３は、上述した給電装置２の接合部材２２１，２２２，２２３と同様の構成である。つまり、接合部材３２１，３２２，３２３は、永久磁石または磁性体で構成されており、永久磁石は、希土類磁石であることが好ましい。接合部材３２１，３２２，３２３が永久磁石で構成されている場合、接合部材３２１，３２２，３２３は、永久磁石又は磁性体で構成された給電装置２の接合部材２２１，２２２，２２３と磁力によって接合される。接合部材３２１，３２２，３２３が永久磁石で構成されていない場合、接合部材３２１，３２２，３２３は磁性体で構成されており、永久磁石で構成された給電装置２の接合部材２２１，２２２，２２３と磁力によって接合される。接合部材３２１，３２２，３２３が永久磁石である場合、当該永久磁石は、携帯電話機３及び給電装置２が接合された状態において、磁極の一方（Ｎ極又はＳ極）が対向相手の接合部材２２１，２２２，２２３に最も近い位置となるように配置される。なお、携帯電話機３の接合部材３２１，３２２，３２３及び給電装置２の接合部材２２１，２２２，２２３の接合については後段において詳述する。
【００６１】
接合部材３２１，３２２，３２３の上下方向及び左右方向の位置は、給電装置２の接合部材２２１，２２２，２２３と対向する位置である。つまり、携帯電話機３の接合部材は、給電装置２の接合部材と同数となる。図２（Ｂ）に示されるように、本実施形態において、接合部材３２１は、第２対向面３１の上端付近であって左右方向の中央付近に設けられている。接合部材３２２は、第２対向面３１の下端付近であって左端付近に設けられている。接合部材３２３は、第２対向面３１の上端付近であって右端付近に設けられている。以上より、携帯電話機３の接合部材３２１，３２２，３２３の各々は、対向する給電装置２の接合部材２２１，２２２，２２３と各々と接合可能である。
【００６２】
また、接合部材３２１，３２２，３２３は、給電装置２の接合部材２２１，２２２，２２３と対向する位置に設けられているため、携帯電話機３及び給電装置２の接合態様が一義的に定まる位置に設けられていることになる。
【００６３】
接合部材３２１，３２２，３２３の前後方向の位置は、給電装置２の接合部材２２１，２２２，２２３の場合と同様である。
【００６４】
つまり、接合部材３２１，３２２，３２３が永久磁石で構成されている場合における接合部材３２１，３２２，３２３の前後方向の位置は、図３（Ｄ）に示されるように、接合部材３２１，３２２，３２３の球面の部分が第２対向面３１から対向相手である給電装置２の接合部材２２１，２２２，２２３の側に突出する位置である。或いは、図３（Ｂ）に示されるように、接合部材３２１，３２２，３２３が第２対向面３１の後方の近傍に埋め込まれる位置である。なお、図３（Ｅ）に示されるように、接合部材３２１，３２２，３２３の球面の部分が突出した接合部材（図３（Ｅ）では接合部材３２３）と、第２対向面３１の後方の近傍に埋め込まれた接合部材（図３（Ｅ）では接合部材３２１）とが混在していてもよい。
【００６５】
また、接合部材３２１，３２２，３２３が磁性体で構成されている場合における接合部材３２１，３２２，３２３の前後方向の位置は、図３（Ｄ）に示されるように、接合部材３２１，３２２，３２３の球面の部分が第２対向面３１から対向相手である給電装置２の接合部材２２１，２２２，２２３の側に突出する位置である。つまり、磁性体は、その形状に関わらず、第２対向面３１から、対向相手である給電装置２の接合部材２２１，２２２，２２３の側に突出しており、突出している部分が球面で構成されている。
【００６６】
また、接合部材３２１，３２２，３２３の携帯電話機３への固定には、公知の手段が用いられる。
【００６７】
［受電回路３３の構成］
図２（Ｂ）に示されるように、受電回路３３は、第２対向面３１における給電回路２３と対向する位置に設けられている。受電回路３３は、携帯電話機３及び給電装置２が接合されている状態において、無接点電力伝送によって給電回路２３から電力を供給される。受電回路２３の構成及び無接点電力伝送については、給電回路２３の構成の項で説明したとおりである。
【００６８】
上述したように、接合部材３２１，３２２，３２３は、給電装置２の接合部材２２１，２２２，２２３と対向する位置に設けられており、給電回路２３は、第１対向面２１において接合部材２２１，２２２，２２３と異なる位置に設けられており、受電回路３３は、第２対向面３１において給電回路２３と対向する位置に設けられている。したがって、受電回路３３は、第２対向面３１において接合部材３２１，３２２，３２３と異なる位置に設けられている。
【００６９】
また、給電装置２の接合部材２２１，２２２，２２３及び給電回路２３の場合と同様に、本実施形態においては、図２（Ｂ）に示されるように、接合部材３２１，３２２，３２３は、第２対向面３１の外周に近い領域に分散して配置されている。また、受電回路３３は、接合部材３２１，３２２，３２３よりも第２対向面３１の中央に近い領域に配置されている。
【００７０】
［給電装置２と携帯電話機３の接合部材同士の接合について］
給電装置２と携帯電話機３が磁力によって接合するためには、相互に対向する給電装置２の接合部材２２１，２２２，２２３及び携帯電話機３の接合部材３２１，３２２，３２３のうちの少なくとも一方に、永久磁石が設けられている必要がある。当該永久磁石は、上述したように、対向相手の給電装置２の接合部材２２１，２２２，２２３及び携帯電話機３の接合部材３２１，３２２，３２３の側が球面である。例えば、給電装置２の接合部材２２１、及び接合部材２２１と対向する携帯電話機３の接合部材３２１は、いずれか一方が永久磁石、又は、双方が永久磁石で構成されている必要があり、双方が磁性体で構成されてはいけない。
【００７１】
また、相互に対向する給電装置２の接合部材２２１，２２２，２２３及び携帯電話機３の接合部材３２１，３２２，３２３の双方が永久磁石で構成されている場合、一方の接合部材のＮ極及び他方の接合部材のＳ極が、相互に対向している必要があることは言うまでもない。
【００７２】
［実施形態の変形例］
上述した実施形態においては、給電装置２がその後面２４に保持部材２５を備えた場合について説明した。しかし、給電装置２が壁面４に固定される手段は、給電装置２が保持部材２５を備える手段に限ったものではない。例えば、図１（Ｂ）及び図４（Ｂ）に示されるように、給電装置２は、第１対向面２１がユーザ側に露出するように、壁面４に埋め込まれていてもよい。この場合、給電装置２が壁面４と一体化されることによって、給電装置２が床５に落下することが防止される。また、別の例として、図４（Ｃ）に示されるように、給電装置２は、ビス７などで壁面４に固定されていてもよい。
【符号の説明】
【００７３】
１・・・充電機器
２・・・給電装置
３・・・携帯電話機
２１・・・第１対向面
２３・・・給電回路
２５・・・保持部材
３１・・・第２対向面
３３・・・受電回路
２２１・・・接合部材
２２２・・・接合部材
２２３・・・接合部材
３２１・・・接合部材
３２２・・・接合部材
３２３・・・接合部材
【図１】
2011097770.tif 000003
【図２】
2011097770.tif 000004
【図３】
2011097770.tif 000005
【図４】
2011097770.tif 000006
【図５】
2011097770.tif 000007